(57)【要約】【課題】押釦つまみの周囲に揺動つまみを設置してなる構造であって、押釦つまみをその下面側から容易に照光できる多方向押圧形スイッチを提供する。【解決手段】押釦つまみ９０と、押釦つまみ９０を囲む揺動つまみ５０と、押釦つまみ９０によって押圧される中央スイッチ１９３Ａと、揺動つまみ５０によって押圧される外周スイッチ１９３Ｂとを具備する。揺動つまみ５０の外周を囲む位置に回転つまみ１０等からなる回転式電子部品を設置する。回転つまみ１０の下側に回転つまみ１０と一体に回転する回転型物１７０を取り付ける。回転型物１７０を回動自在に軸支する軸支部１１６を有する固定部材１１０を設置する。固定部材１１０の軸支部１１６内に設けた開口部１１３内に、ヒンジ１１５によって保持される押釦つまみ固定部１１７を設け、押釦つまみ固定部１１７上に発光素子２３０及び押釦つまみ９０を取り付ける。【選択図】図２
2005347234.tif 000002
【特許請求の範囲】
【請求項１】
押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチとを具備し、
前記押釦つまみに発光素子を設置することで、発光素子から発射される光によって押釦つまみを照光することを特徴とする多方向押圧型スイッチ。
【請求項２】
回転つまみを回動することで電気的出力を変化する回転式電子部品を、前記揺動つまみの外周を囲む位置に設置したことを特徴とする請求項１に記載の多方向押圧型スイッチ。
【請求項３】
前記回転つまみの下面側に、この回転つまみと一体に回転して回転式電子部品の電気的出力を変化する回転型物を取り付けると共に、
前記回転型物の中央に設けた軸支孔に挿入されてこの回転型物及び回転つまみを回動自在に軸支する軸支部を有する固定部材を設置したことを特徴とする請求項２に記載の多方向押圧型スイッチ。
【請求項４】
前記固定部材の軸支部内に設けた開口部内に、この固定部材と一体に、ヒンジと、このヒンジによって上下動自在に保持される押釦つまみ固定部とを成形すると共に、この押釦つまみ固定部上に前記発光素子及び前記押釦つまみを設置したことを特徴とする請求項３に記載の多方向押圧型スイッチ。
【請求項５】
上下動すると共に揺動する押釦兼揺動つまみと、前記押釦兼揺動つまみを上下動自在に貫通すると共に押釦兼揺動つまみを揺動することでこれと一体に揺動するスイッチ作動部材と、前記押釦兼揺動つまみの上下動によって押圧される位置に設置される中央スイッチと、前記中央スイッチの周囲であって前記スイッチ作動部材の揺動によって押圧される位置に設置される外周スイッチとを具備し、
前記押釦兼揺動つまみに発光素子を設置することで、発光素子から発射される光によって押釦兼揺動つまみを照光することを特徴とする多方向押圧型スイッチ。
【請求項６】
回転つまみを回動することで電気的出力を変化する回転式電子部品を、前記押釦兼揺動つまみの外周を囲む位置に設置したことを特徴とする請求項５に記載の多方向押圧型スイッチ。
【請求項７】
前記回転つまみはその中央に前記押釦兼揺動つまみを挿通する開口を有すると共にこの回転つまみの下面の開口の周囲から軸支部を突出して設け、
前記回転つまみの軸支部の下部に、この回転つまみと一体に回転して回転式電子部品の電気的出力を変化する回転型物を取り付けると共に、
前記回転つまみの軸支部の外周を回動自在に軸支する固定部材を設置したことを特徴とする請求項６に記載の多方向押圧型スイッチ。
【請求項８】
上下動すると共に揺動する押釦兼揺動つまみと、前記押釦兼揺動つまみの上下動によって押圧される位置に設置される中央スイッチと、前記中央スイッチの周囲であって前記押釦兼揺動つまみの揺動によって押圧される位置に設置される外周スイッチとを具備し、
前記押釦兼揺動つまみに発光素子を設置することで、発光素子から発射される光によって押釦兼揺動つまみを照光することを特徴とする多方向押圧型スイッチ。
【請求項９】
回転つまみを回動することで電気的出力を変化する回転式電子部品を、前記押釦兼揺動つまみの外周を囲む位置に設置したことを特徴とする請求項８に記載の多方向押圧型スイッチ。
【発明の詳細な説明】
【技術分野】
【０００１】
本発明は、揺動つまみ（又は押釦兼揺動つまみ）を多方向に揺動させることでその下に配置したスイッチをオンオフし、また揺動つまみの中央に設置した押釦つまみ（又は押釦兼揺動つまみ）を押圧することでその下に配置したスイッチをオンオフする構造の多方向押圧型スイッチに関するものである。
【背景技術】
【０００２】
従来、車載用ナビゲーションシステム、コンピュータ、各種携帯機器、各種ＯＡ機器、ゲーム機などを操作するデバイスとして、多方向押圧型スイッチがある。そして多方向押圧型スイッチの中には、円盤状（パッド状）の揺動つまみの中央に押釦つまみを設けた構造のものがある。
【０００３】
図９はこの種の従来の多方向押圧型スイッチ３００を示す概略断面図である（特許文献１の図４参照）。この多方向押圧型スイッチ３００は、押釦つまみ３１０と、押釦つまみ３１０を中央の貫通孔３３３に挿通した状態で揺動する揺動つまみ３３０とを可撓性フイルムからなる連結部材３５０上に取り付け、連結部材３５０によって一体化された押釦つまみ３１０と揺動つまみ３３０とを取付板３７０上に固定したスイッチ基板３９０の上に設置し、そのときスイッチ基板３９０の中央とその周囲四ヶ所（図では二ヶ所のみ示す）に取り付けた反転板（可動接点板）３９１の上に前記押釦つまみ３１０の押圧部３１１と前記揺動つまみ３３０の四ヶ所の押圧部３３１（図では二ヶ所のみ示す）とを当接し、さらに前記連結部材３５０を揺動つまみ３３０の周囲を覆うケース４１０の図示しない所定部分に固定して構成されている。
【０００４】
この多方向押圧型スイッチ３００によれば、可撓性フイルムからなる薄い連結部材３５０上に押釦つまみ３１０と揺動つまみ３３０とを取り付けるので、その小型・薄型化が図れる。
【０００５】
しかしながら従来、上記のように押釦つまみ３１０の周囲に揺動つまみ３３０を設置してなる構造の多方向押圧型スイッチ３００において、中央の押釦つまみ３１０をその下面側から照光できる構造のものはなかった。
【０００６】
また従来の多方向押圧型スイッチの中には、上下動すると共に揺動する押釦兼揺動つまみを具備するものもある（特許文献２の図１，図５参照）が、この種の押釦兼揺動つまみを用いた多方向押圧型スイッチにおいても、押釦兼揺動つまみをその下面側から照光できる構造のものはなかった。
【０００７】
また最近、電子機器の小型化のため、さらなる操作スイッチの集積化が要求されており、このため前記多方向押圧型スイッチに加えて回転式電子部品用の回転つまみをも一体化したものが要望されている。しかしながら従来このような構造の多方向押圧型スイッチはなかった。
【特許文献１】特開２００１−１８５００４号公報
【特許文献２】特開２００２−９３２８７号公報
【発明の開示】
【発明が解決しようとする課題】
【０００８】
本発明は上述の点に鑑みてなされたものでありその目的は、押釦つまみの周囲に揺動つまみを設置してなる構造の多方向押圧型スイッチ、又は押釦兼揺動つまみを設置してなる構造の多方向押圧型スイッチにおいて、中央の押釦つまみ又は押釦兼揺動つまみをその下面側から容易に照光でき、且つ構造が簡単で組み立てが容易な多方向押圧型スイッチを提供することにある。
【０００９】
また本発明の目的は、押釦つまみの周囲に揺動つまみを設置してなる構造の多方向押圧型スイッチ、又は押釦兼揺動つまみを設置してなる構造の多方向押圧型スイッチに、さらに回転式電子部品の機能も一体に併せ持たせることができる多方向押圧型スイッチを提供することにある。
【課題を解決するための手段】
【００１０】
本願請求項１に記載の発明は、押釦つまみと、前記押釦つまみを囲むように設置される揺動つまみと、前記押釦つまみによって押圧される位置に設置される中央スイッチと、前記中央スイッチの周囲であって前記揺動つまみによって押圧される位置に設置される外周スイッチとを具備し、前記押釦つまみに発光素子を設置することで、発光素子から発射される光によって押釦つまみを照光することを特徴とする多方向押圧型スイッチにある。
【００１１】
本願請求項２に記載の発明は、回転つまみを回動することで電気的出力を変化する回転式電子部品を、前記揺動つまみの外周を囲む位置に設置したことを特徴とする請求項１に記載の多方向押圧型スイッチにある。
【００１２】
本願請求項３に記載の発明は、前記回転つまみの下面側に、この回転つまみと一体に回転して回転式電子部品の電気的出力を変化する回転型物を取り付けると共に、前記回転型物の中央に設けた軸支孔に挿入されてこの回転型物及び回転つまみを回動自在に軸支する軸支部を有する固定部材を設置したことを特徴とする請求項２に記載の多方向押圧型スイッチにある。
【００１３】
本願請求項４に記載の発明は、前記固定部材の軸支部内に設けた開口部内に、この固定部材と一体に、ヒンジと、このヒンジによって上下動自在に保持される押釦つまみ固定部とを成形すると共に、この押釦つまみ固定部上に前記発光素子及び前記押釦つまみを設置したことを特徴とする請求項３に記載の多方向押圧型スイッチにある。
【００１４】
請求項５に記載の発明は、上下動すると共に揺動する押釦兼揺動つまみと、前記押釦兼揺動つまみを上下動自在に貫通すると共に押釦兼揺動つまみを揺動することでこれと一体に揺動するスイッチ作動部材と、前記押釦兼揺動つまみの上下動によって押圧される位置に設置される中央スイッチと、前記中央スイッチの周囲であって前記スイッチ作動部材の揺動によって押圧される位置に設置される外周スイッチとを具備し、前記押釦兼揺動つまみに発光素子を設置することで、発光素子から発射される光によって押釦兼揺動つまみを照光することを特徴とする多方向押圧型スイッチにある。
【００１５】
請求項６に記載の発明は、回転つまみを回動することで電気的出力を変化する回転式電子部品を、前記押釦兼揺動つまみの外周を囲む位置に設置したことを特徴とする請求項５に記載の多方向押圧型スイッチにある。
【００１６】
請求項７に記載の発明は、前記回転つまみはその中央に前記押釦兼揺動つまみを挿通する開口を有すると共にこの回転つまみの下面の開口の周囲から軸支部を突出して設け、前記回転つまみの軸支部の下部に、この回転つまみと一体に回転して回転式電子部品の電気的出力を変化する回転型物を取り付けると共に、前記回転つまみの軸支部の外周を回動自在に軸支する固定部材を設置したことを特徴とする請求項６に記載の多方向押圧型スイッチにある。
【００１７】
請求項８に記載の発明は、上下動すると共に揺動する押釦兼揺動つまみと、前記押釦兼揺動つまみの上下動によって押圧される位置に設置される中央スイッチと、前記中央スイッチの周囲であって前記押釦兼揺動つまみの揺動によって押圧される位置に設置される外周スイッチとを具備し、前記押釦兼揺動つまみに発光素子を設置することで、発光素子から発射される光によって押釦兼揺動つまみを照光することを特徴とする多方向押圧型スイッチにある。
【００１８】
請求項９に記載の発明は、回転つまみを回動することで電気的出力を変化する回転式電子部品を、前記押釦兼揺動つまみの外周を囲む位置に設置したことを特徴とする請求項８に記載の多方向押圧型スイッチにある。
【発明の効果】
【００１９】
請求項１に記載の発明によれば、押釦つまみに発光素子を設置することで発光素子から発射される光によって押釦つまみを照光することとしたので、中央の押釦つまみをその下面側から照光することができるようになる。
【００２０】
請求項２に記載の発明によれば、揺動つまみの外周を囲む位置に回転式電子部品を設置したので、多方向押圧型スイッチの外周部分のスペースをそのまま回転式電子部品として利用することができ、容易に多方向押圧型スイッチに回転式電子部品の機能も一体に併せ持たせることができる。
【００２１】
請求項３に記載の発明によれば、回転つまみと一体に回転する回転型物を取り付けると共に、回転型物及び回転つまみを回動自在に軸支する軸支部を有する固定部材を設置したので、回転式電子部品を多方向押圧型スイッチの外周に簡単な構造で容易に設置することが可能となる。
【００２２】
請求項４に記載の発明によれば、固定部材の軸支部内に設けた開口部内にヒンジと押釦つまみ固定部とを成形してこの押釦つまみ固定部上に発光素子及び押釦つまみを設置したので、回転型物及び回転つまみを回動自在に軸支する固定部材を、発光素子と押釦つまみの設置部材として兼用でき、部品点数が少なく、構造が簡単で組み立てが容易になる。
【００２３】
請求項５に記載の発明によれば、押釦兼揺動つまみに発光素子を設置することで発光素子から発射される光によって押釦兼揺動つまみを照光することとしたので、押釦兼揺動つまみをその下面側から照光することができるようになる。
【００２４】
請求項６に記載の発明によれば、押釦兼揺動つまみの外周を囲む位置に回転式電子部品を設置したので、多方向押圧型スイッチの外周部分のスペースをそのまま回転式電子部品として利用することができ、容易に多方向押圧型スイッチに回転式電子部品の機能も一体に併せ持たせることができる。
【００２５】
請求項７に記載の発明によれば、回転つまみに設けた軸支部の下部に回転型物を取り付けると共に、回転つまみの軸支部の外周を回動自在に軸支する固定部材を設置したので、回転式電子部品を多方向押圧型スイッチの外周に簡単な構造で容易に設置することが可能となる。
【００２６】
請求項８に記載の発明によれば、押釦兼揺動つまみに発光素子を設置することで発光素子から発射される光によって押釦兼揺動つまみを照光することとしたので、押釦兼揺動つまみをその下面側から照光することができるようになる。
【００２７】
請求項９に記載の発明によれば、押釦兼揺動つまみの外周を囲む位置に回転式電子部品を設置したので、多方向押圧型スイッチの外周部分のスペースをそのまま回転式電子部品として利用することができ、容易に多方向押圧型スイッチに回転式電子部品の機能も併せ持たせることができる。
【発明を実施するための最良の形態】
【００２８】
以下、本発明の実施形態を図面に基づいて詳細に説明する。
〔第一実施形態（請求項１〜４に対応する実施形態）〕
図１−１，図１−２は、本発明の第一実施形態にかかる回転式電子部品付き多方向押圧型スイッチ（以下簡略化のため「多方向押圧型スイッチ」という）１の分解斜視図である。また図２はこの多方向押圧型スイッチ１の概略断面図（但し図示の都合上、切断面は各部で異ならせている）である。図１−１，１−２に示すようにこの多方向押圧型スイッチ１は、その上側から、回転つまみ１０と、ロックつまみ３０と、揺動つまみ５０と、連結部材７０と、押釦つまみ９０と、固定部材１１０と、クリック板１４０と、板バネ１５０と、回転型物１７０と、フレキシブル基板１９０と、取付板２４０とを具備して構成されている。以下各構成部品について説明する。
【００２９】
回転つまみ１０は成形樹脂製であり、略円板状で中央に円形の開口部１３を有する上面部１１と、上面部１１の外周辺から下方向に向かう側壁部１２とを具備し、さらに上面部１１の所定位置に略楕円形状に開口するロックつまみ挿入部１５を設けるとともに、上面部１１の下面のロックつまみ挿入部１５の両側に小突起状のストッパー部１７−１，２を設けて構成されている。また側壁部１２の所定位置には四つ（図１−１では二つのみ示す）の貫通する係止孔１８が設けられている。
【００３０】
ロックつまみ３０は成形樹脂製であり、前記回転つまみ１０のロックつまみ挿入部１５に上下動自在に挿入される楕円柱形状のつまみ本体部３１と、つまみ本体部３１の下面外周から水平方向に張り出すつば部３３と、つまみ本体部３１の下方に設けられて下記する固定部材１１０のロック係合部１２３にその上下方向に向かって係合・離脱するロック部３５とを具備して構成されている。
【００３１】
図３は揺動つまみ５０を下面側から見た斜視図である。図１−１，図３に示すように揺動つまみ５０は成形樹脂製であり、円板状の本体部５１の中央に下記する押釦つまみ９０のつまみ本体部９１を上下動自在に挿入する円形の開口からなるつまみ挿入部５３を設け、また本体部５１の外周下面から半径方向外側に向けてつば部５５を突出し、また本体部５１の下面から下方向に向けて突出する四本の柱状の押圧部５９を設けて構成されている。各押圧部５９の根元部分の外周には、１８０°対向する位置に一対ずつ小突起状の固定部６１が設けられている。さらに本体部５１の下面の各押圧部５９よりもつまみ挿入部５３側の位置（四ヶ所）には、それぞれ二本の小突起を突出することでその間にガイド溝６３を形成している。
【００３２】
連結部材７０は可撓性を有する合成樹脂フイルム（例えばポリエチレンテレフタレートフイルム）製であり、略四角形状であって且つその中央に四角形状の開口部７３を設けた連結部７１の四隅から外方に向けて四本のアーム部７５を突出し、各アーム部７５の先端に円形の固定部７７を設け、各固定部７７の内部に貫通する円形の小孔からなる固定孔７９を設け、一方連結部７１を構成する各辺の中央位置から外方に向けて四つの舌片状の固定部８１を突出し、各固定部８１の内部に貫通する固定孔８３を設けて構成されている。固定孔８３は円形の小孔の両側に矩形状の切り欠きを設けて構成されており、ちょうど前記揺動つまみ５０の押圧部５９とその両側の固定部６１とを同時に挿入できる寸法形状に形成されている。
【００３３】
図４は押釦つまみ９０を下面側から見た斜視図である。図４及び図１−１に示すように、押釦つまみ９０は透明な成形樹脂製であり、円柱状のつまみ本体部９１の下面外周からつば部９３を突出し、またつば部９３の外周からさらに等間隔に四本のガイド突起９５を突出し、またつば部９３の外周の１８０°対向する位置から一対の突出部９７を設けてそれらの下面から小突起状の固定部９９を突出し、さらにつまみ本体部９１の下面中央に円形の凹部からなる収納部１０１を設けて構成されている。
【００３４】
図５は固定部材１１０を下面側から見た斜視図である。図５及び図１−１に示すように固定部材１１０は成形樹脂製であり、略円板状の基部１１１の中央に円形の開口部１１３を設けると共に、開口部１１３を跨ぐ一対のヒンジ１１５，１１５が設けられ、そのヒンジ１１５，１１５間には押釦つまみ固定部１１７を一体に設けて構成されている。開口部１１３の周囲には下方向に向かって略円筒状に突出する軸支部１１６が設けられている。軸支部１１６の下面には四本の小突起状の固定部１１８が設けられている。また基部１１１の上面には、前記連結部材７０の固定孔７９を挿入する小突起状の固定突起１１９が四つと、その上面を前記回転つまみ１０の上面部１１の裏面に当接して回転つまみ１０を支持する小突起状の回転つまみ支持部１２０が六つ設けられている。一方基部１１１の外周からは平板状で扇状に張り出すロック用基部１２１が設けられ、その外周には前記ロックつまみ３０のロック部３５を上下動自在に挿入する寸法形状の矩形状の切り欠きからなるロック係合部１２３が設けられ、またロック用基部１２１の上面の外周近傍には二つの小突起状のストッパー部１２５，１２６が設けられている。
【００３５】
次に前記開口部１１３の内周面の対向する位置からは平板状の補強部１２７，１２７が突出して設けられ、各補強部１２７，１２７の先端辺中央にはそれぞれ前記揺動つまみ５０の対向する二つの押圧部５９を上下動自在に挿入して揺動つまみ５０の回り止めを行う切り欠き状の回り止め部１２９，１２９が設けられている。
【００３６】
次に押釦つまみ固定部１１７は、平板矩形状であってその両側辺から舌片状の突出部１３１，１３１を突出する形状に形成され、その上面中央に凹部からなる挟持部材逃げ部１３３を設け、また突出部１３１，１３１に小孔からなる取付部１３２，１３２を設け、さらにその下面中央に小突起状の押圧部１３５を設けて構成されている。なお両取付部１３２は、押釦つまみ９０の両固定部９９を挿入する寸法形状に形成されている。
【００３７】
さらに固定部材１１０の開口部１１３の内周面からは一対の舌片状の支持部１３７が突出し、各支持部１３７の下面からは小突起状の固定部１３９が突出している。
【００３８】
クリック板１４０は、金属板をリング状に形成して中央に開口１４７を設けて構成されており、その所定位置には開口からなるクリック係合部１４１が設けられ、またその内周からは舌片状の一対の突起１４３が突出してその内部に前記固定部材１１０の固定部１３９を挿入する小孔からなる係止部１４５が設けられている。
【００３９】
板バネ１５０は弾性金属板をリング状に形成して中央に開口１６５を設けて構成されており、その所定位置に上方向に向かって少し持ち上げられた円弧状のクリック用アーム部１５１と、クリック用アーム部１５１に対向する位置に設けられ上方向に向かって少し持ち上げられた円弧状のロックつまみ押上用アーム部１５３と、両アーム部１５１，１５３の間の位置に設けられ外方向に突出する突出面１５５の内部に形成される開口部１５７と、両アーム部１５１，１５３のそれぞれ根元部分に設けられる四つの小孔からなる取付部１５９とを具備して構成されている。そしてクリック用アーム部１５１の中央には突状のクリック係合部１６１が設けられ、ロックつまみ押上用アーム部１５３の中央には舌片状に外周及び上方に突出する押し上げ部１６３が設けられている。
【００４０】
図６は回転型物１７０を下面側から見た斜視図である。図６及び図１−２に示すように、回転型物１７０は成形樹脂製であり、リング状で平板状に形成されることでその中央に軸支孔１７１を設け、またその上面の前記板バネ１５０の各取付部１５９に対向する位置に小突起状の固定部１７３を設け、またその外周の前記ロックつまみ３０に対向する位置に切り欠き状でロックつまみ３０のロック部３５を上下動自在に挿入するロック部収納部１７５を設け、さらに回転型物１７０の下面に摺動子収納凹部１７７を設けて構成されている。回転型物１７０の上面の前記摺動子収納凹部１７７に対向する位置には、摺動子収納凹部１７７を設けることでその肉厚が薄くなるのを防止するための平面状の突出部１７９が形成される。また摺動子収納凹部１７７内には、摺動子固定用突起１８１と、摺動子位置決め突起１８３とが二つずつ設けられている。また回転型物１７０の外周の前記回転つまみ１０の係止孔１８に対応する位置には、これに係合する係止突起１８４が設けられている。
【００４１】
摺動子１８５は弾性金属板製であり、下側に折り返したアーム部１８６の先端に摺接部１８７が設けられ、またその所定位置には前記摺動子固定用突起１８１と摺動子位置決め突起１８３に挿入される二つずつの貫通孔１８８，１８９が設けられている。
【００４２】
フレキシブル基板１９０は可撓性を有する円形の合成樹脂フイルム１９１上に、五つのスイッチ１９３Ａ，１９３Ｂを設けると共に、その周囲に所望の円弧状の摺接パターン１９４を設け、さらに三つの係止穴１９７と発光素子取付部２０１とを設けて構成されている。五つのスイッチ１９３は、中央スイッチ１９３Ａの周囲に四つの外周スイッチ１９３Ｂをリング状に等間隔に設置して構成されている。各スイッチ１９３Ａ，１９３Ｂはその上部に弾性金属板をドーム形状に形成してなる反転板（可動接点板）１９５が図示されていないフレキシブル基板１９０に形成された接点パターンを覆うように取り付けて構成されている。摺接パターン１９４は、前記摺動子１８５の摺接部１８７が摺接する位置に設けられる円弧状のパターンであり、スイッチパターンであっても抵抗体パターンであっても良い。三つの係止穴１９７は何れも前記固定部材１１０の下面に設けた固定部１１８を挿入する位置に設けられている。
【００４３】
一方発光素子取付部２０１は、帯状の連結部２０３の先端に設けられている。図７は図１−２に示す発光素子取付部２０１を反対面側から見た分解斜視図、図８は図１−２に示す発光素子取付部２０１を裏面側から見た斜視図である。図７に示すように発光素子取付部２０１は、略矩形状で前記固定部材１１０の押釦つまみ固定部１１７と略同一の外形寸法形状に形成され、その対向する一対の外周辺からは舌片状の突出部２１１が突出し、各突出部２１１には貫通孔からなる取付部２１３が設けられている。発光素子取付部２０１の中央には開口部２１５が設けられ、その中央にはこの開口部２１５を横切るように一本の連結部２１７が設けられ、連結部２１７の中央の素子取付部２１８の両側部からは一対の舌片状の突出部２１９を突出し、両突出部２１９の部分に端子接続パターン２２１を設け、これら端子接続パターン２２１から回路パターン２２３をフレキシブル基板１９０に向けて引き出している。
【００４４】
そしてこの発光素子取付部２０１にはチップ形の発光素子２３０が機械的に取り付けられるが、その取り付け方法は、前記発光素子取付部２０１の素子取付部２１８上に発光素子２３０を載置し、その際発光素子２３０の両端に設けた端子部２３１をそれぞれ端子接続パターン２２１に接続し、素子取付部２１８の下側側の面に略コ字状の弾性金属板からなる挟持部材２３５を押し付け、この挟持部材２３５によって図８に示すように両突出部２１９を上方向に折り曲げてこの突出部２１９と共に発光素子２３０の両側部を挟持し、固定する。これによって発光素子２３０は発光素子取付部２０１に機械的に固定され、電気的に接続される。なお発光素子２３０の固定方法は、この方法に限定されず、導電性接着材や半田等によって固定しても良い。
【００４５】
図１−２に戻って、取付板２４０は金属製又は成形樹脂製の硬質板であり、前記フレキシブル基板１９０の外形形状と略同一外形形状（円形）に形成され、前記固定部材１１０の下面に設けた固定部１１８に対向する位置にそれぞれ係止孔２４１を四つ（図では一つのみ示す）設けて構成されている。
【００４６】
次にこの多方向押圧型スイッチ１の組み立て方法の一例を説明する。まず予め揺動つまみ５０の下面側に連結部材７０を配置して、揺動つまみ５０の各押圧部５９を連結部材７０の各固定孔８３内に挿入し、連結部材７０の下面側に突出した固定部６１を熱カシメによって潰すことで、連結部材７０を揺動つまみ５０に取り付けておく。
【００４７】
一方固定部材１１０の下面にクリック板１４０を配置し、クリック板１４０の各係止部１４５に固定部材１１０の下面から突出する固定部１３９を挿入してその先端を熱カシメすることで、固定部材１１０にクリック板１４０を取り付けておく。
【００４８】
また回転型物１７０の上面に板バネ１５０を載置して回転型物１７０の各固定部１７３を板バネ１５０の各取付部１５９に挿入し、その先端を熱カシメすることで取り付ける。このとき板バネ１５０の開口部１５７内に、回転型物１７０の突出部１７９が挿入される。一方回転型物１７０の下面の摺動子収納凹部１７７内に摺動子１８５を収納し、その際回転型物１７０に設けた摺動子固定用突起１８１と摺動子位置決め用突起１８３とを、それぞれ摺動子１８５に設けた貫通孔１８８，１８９に挿入し、摺動子固定用突起１８１の先端を熱カシメすることで取り付けておく。
【００４９】
そしてフレキシブル基板１９０の発光素子２３０を取り付けた発光素子取付部２０１を、図１−２に示す状態からフレキシブル基板１９０の上面側に折り返した上で、回転型物１７０の軸支孔１７１及び板バネ１５０の開口１６５と、クリック板１４０の開口１４７と、固定部材１１０の開口部１１３内の隙間を通して固定部材１１０の上側に導き出し、固定部材１１０の押釦つまみ固定部１１７上に載置する。このとき発光素子取付部２０１に取り付けた発光素子２３０は上向きとなっている。なおこのとき挟持部材２３５の下面は押釦つまみ固定部１１７に設けた挟持部材逃げ部１３３内に収納される（図２参照）。そしてこの押釦つまみ固定部１１７上に載置した発光素子取付部２０１の上に、押釦つまみ９０を載置し、そのとき押釦つまみ９０の各固定部９９を、発光素子取付部２０１の取付部２１３と、押釦つまみ固定部１１７の取付部１３２に挿入し、押釦つまみ固定部１１７の下面から突出する固定部９９先端を熱カシメによって取り付ける。このとき発光素子２３０は押釦つまみ９０の収納部１０１内に位置する。
【００５０】
そして前記固定部材１１０の上面に、前記連結部材７０を取り付けた揺動つまみ５０を配置し、その際揺動つまみ５０のつまみ挿入部５３に押釦つまみ９０のつまみ本体部９１を挿入し、同時に連結部材７０の各固定孔７９に固定部材１１０の各固定突起１１９を挿入してその先端を熱カシメする。
【００５１】
次に回転つまみ１０のロックつまみ挿入部１５にその下面側からロックつまみ３０のつまみ本体部３１を挿入したものを、揺動つまみ５０の上から被せ、一方クリック板１４０付の固定部材１１０の下面側に板バネ１５０付の回転型物１７０を設置し、回転つまみ１０の外周に設けた係止孔１８に回転型物１７０の外周に設けた係止突起１８４を係合し、一体に回転するように取り付ける。このとき固定部材１１０の軸支部１１６が回転型物１７０の軸支孔１７１に挿入されることで、回転型物１７０及びこれに固定された回転つまみ１０は軸支部１１６を中心軸として回動自在となる。またこのときロックつまみ３０のロック部３５は固定部材１１０のロック係合部１２３内に挿入される。
【００５２】
そして回転型物１７０の下面側にフレキシブル基板１９０と取付板２４０とを配置し、その際フレキシブル基板１９０に設けた各係止穴１９７と、取付板２４０に設けた各係止孔２４１に固定部材１１０の下面の固定部１１８を挿入し、その先端を取付板２４０の下面で熱カシメする。これによってこの多方向押圧型スイッチ１が完成する。
【００５３】
以上のようにして構成された多方向押圧型スイッチ１は、図２に示すように、フレキシブル基板１９０及び取付板２４０上に固定部材１１０を固定し、固定部材１１０の軸支部１１６に回転型物１７０を回動自在に軸支し、また固定部材１１０の上部に取り付けた連結部材７０によって揺動つまみ５０を揺動自在に固定し、また固定部材１１０の開口部１１３内の中央にヒンジ１１５によって支持された押釦つまみ固定部１１７上に押釦つまみ９０を取り付けることで押釦つまみ９０を上下動自在に設置して構成されている。
【００５４】
またこの多方向押圧型スイッチ１は、押釦つまみ固定部１１７の下面に設けた押圧部１３５先端を中央スイッチ１９３Ａの反転板１９５上に当接又は接近して配置し、揺動つまみ５０の各押圧部５９先端を各外周スイッチ１９３Ｂの反転板１９５上に当接又は接近して配置している。また回転型物１７０に取り付けた摺動子１８５の摺接部１８７はフレキシブル基板１９０上の摺接パターン１９４（図１−２参照）に弾接している。また板バネ１５０のクリック係合部１６１はクリック板１４０に弾接しており、同時に板バネ１５０の押し上げ部１６３はロックつまみ３０のロック部３５の下面を上方向に弾発して押し上げている。
【００５５】
またこのとき押釦つまみ９０の各ガイド突起９５（図４参照）は、揺動つまみ５０下面の各ガイド溝６３内に挿入され、揺動つまみ５０に対して押釦つまみ９０を上下動自在にガイドしている。
【００５６】
次にこの多方向押圧型スイッチ１の動作を説明する。図２はロックつまみ３０が前記板バネ１５０の押し上げ部１６３によって押し上げられて、そのロック部３５が固定部材１１０のロック係合部１２３内に係合して回転つまみ１０がロックされた状態を示している。なおこのとき回転つまみ１０の一方のストッパー部１７−１（図１−１参照）は、固定部材１１０のロック係合部１２３に近い側のストッパー部１２５（図１−１参照）に当接していて、その位置よりも図１−１に示す矢印Ａ１方向には回動できない状態となっている。そしてこの状態からロックつまみ３０のつまみ本体部３１を下方向に押圧すれば、押し上げ部１６３の弾発力に抗してロックつまみ３０が下降してそのロック部３５がロック係合部１２３の下側に移動することでロックが解除され、この状態のまま回転つまみ１０を図１−１に示す矢印Ａ２方向に回動すれば、ロックつまみ３０のロック部３５は固定部材１１０のロック用基部１２１の下面側を通過した後にロック用基部１２１が無くなった部分（図１−１に示す側面１２１ａの部分）において押し上げ部１６３の弾発力によって上方向に押し上げられ、その状態のままさらに回動を続ければ回転つまみ１０のストッパー部１７−２が固定部材１１０のもう一方のストッパー部１２６（図１−１参照）に当接してその回動ができなくなるまで回動する。この位置から再び回転つまみ１０を逆方向（矢印Ａ１方向）に回動すると、回転つまみ１０は回動を続け、ロックつまみ３０のロック部３５側面がロック用基部１２１の側面１２１ａに当接した位置で一旦停止する。そしてロックつまみ３０のつまみ本体部３１を下方向に押圧すれば、押し上げ部１６３の弾発力に抗してロックつまみ３０が下降してそのロック部３５がロック用基部１２１の下面側に移動し、この状態のまま回転つまみ１０を矢印Ａ１方向に回動することが可能となり、さらに回転つまみ１０を回転すると、ストッパー部１７−１がストッパー部１２５に当接すると同時にロック部３５が固定部材１１０のロック係合部１２３に係合し、それよりも矢印Ａ１方向へは回転つまみ１０を回動できなくなる。そして上記回転つまみ１０の回転によってこれと一体に回転する回転型物１７０に取り付けた摺動子１８５の摺接部１８７が摺接パターン１９４上を摺動することで、その電気的出力が変化する。
【００５７】
一方中央の押釦つまみ９０のつまみ本体部９１を押圧すると、ヒンジ１１５が撓むことで押釦つまみ固定部１１７が下降し、その押圧部１３５が中央の反転板１９５を押圧してこれを反転し、中央スイッチ１９３Ａをオンする。前記押釦つまみ９０への押圧を解除すれば、反転板１９５及びヒンジ１１５の弾性復帰力によって押釦つまみ９０は元の位置に自動復帰し、前記中央スイッチ１９３Ａはオフする。
【００５８】
また揺動つまみ５０の所定位置を押圧すると、連結部材７０が撓むことで、押圧した部分が下降（揺動）し、これによって下降した側の揺動つまみ５０の押圧部５９がこれに対向する反転板１９５を押圧してこれを反転し、外周スイッチ１９３Ｂをオンする。前記揺動つまみ５０への押圧を解除すれば、反転板１９５及び連結部材７０の弾性復帰力によって揺動つまみ５０は元の位置に自動復帰し、前記外周スイッチ１９３Ｂはオフする。
【００５９】
そして発光素子２３０を発光すれば、透明な材料によって形成されている押釦つまみ９０が、その下面側から表面側に向けて照光され、明るく照らし出される。押釦つまみ９０の上面に所望の装飾を印刷等によって形成しておけば、さらに効果的にその表面を照らし出せる。また揺動つまみ５０や回転つまみ１０を透明な材料で構成しておけば、これらのつまみ５０，１０も前記発光素子２３０によって照明することができる。逆にこれらつまみ５０，１０を不透光性の材料で構成したり又はその表面を不透光性の塗料で覆ったような場合は、押釦つまみ１０のみを効果的に照明することができる。
【００６０】
なお上述のように、揺動つまみ５０の外周を囲む位置に設置される回転式電子部品は、回転つまみ１０，回転つまみ１０と一体に回転して回転式電子部品の電気的出力を変化する回転型物１７０及び摺動子１８５及びフレキシブル基板１９０の摺接パターン１９４等によって構成されている。
【００６１】
以上のように本実施形態においては、押釦つまみ９０と、押釦つまみ９０を囲むように設置される揺動つまみ５０と、押釦つまみ９０によって押圧される位置に設置される中央スイッチ１９３Ａと、前記中央スイッチ１９３Ａの周囲であって揺動つまみ５０によって押圧される位置に設置される外周スイッチ１９３Ｂと、揺動つまみ５０の外周を囲む位置に設置されて回転つまみ１０を回動することで電気的出力を変化する回転式電子部品とを具備してなる多方向押圧型スイッチ１において、前記押釦つまみ９０に発光素子２３０を設置することで、発光素子２３０から発射される光によって押釦つまみ９０を照光するように構成したので、この種の構造の多方向押圧型スイッチ１の押釦つまみ９０の照光が図れる。また同時に、多方向押圧型スイッチ１の外周部分のスペースをそのまま回転式電子部品として利用することができ、容易に多方向押圧型スイッチ１に回転式電子部品の機能をも一体に併せ持たせることができる。
【００６２】
また回転つまみ１０と一体に回転する回転型物１７０の中央に設けた軸支孔１７１に挿入されてこの回転型物１７０及び回転つまみ１０を回動自在に軸支する軸支部１１６を有する固定部材１１０を設置したので、回転式電子部品を多方向押圧型スイッチ１の外周に簡単な構造で容易に設置することが可能となる。
【００６３】
またこの実施形態では、固定部材１１０の軸支部１１６内に設けた開口部１１３内に、この固定部材１１０と一体に、ヒンジ１１５と、このヒンジ１１５によって上下動自在に保持される押釦つまみ固定部１１７とを成形すると共に、この押釦つまみ固定部１１７上に発光素子２３０及び押釦つまみ９０を取り付けているので、回転型物１７０及び回転つまみ１０を回動自在に軸支する固定部材１１０を、発光素子２３０と押釦つまみ９０の取付部材として兼用できる。
【００６４】
またこの実施形態においては、前記図９に示すように、揺動つまみ３３０を揺動自在に保持する連結部材３５０に押釦つまみ３１０を取り付けず、その代わりに別途固定部材１１０に設けた押釦つまみ固定部１１７上に押釦つまみ９０を取り付けることとしたので、押釦つまみ９０への発光素子２３０の設置が容易になる。何故なら、スイッチ１９３をオンオフする押圧部１３５をその下面に設けた押釦つまみ固定部１１７の上に発光素子２３０を載置できるので、押圧部１３５に邪魔されることなく、発光素子２３０を押釦つまみ９０の真下等の任意の位置に容易に設置することができるからである。
【００６５】
〔第二実施形態（請求項１〜４に対応する実施形態）〕
上記実施形態においては、押釦つまみ固定部１１７上に押釦つまみ９０を別部品として設置したが、図１０に示す回転式電子部品付き多方向押圧型スイッチ（以下簡略化のため「多方向押圧型スイッチ」という）１−２のように、押釦つまみ固定部１１７と押釦つまみ９０とを発光素子２３０と発光素子取付部２０１とを内蔵した状態で一体成形（インサート成型）することで、押釦つまみ固定部１１７上に発光素子２３０と押釦つまみ９０を設置してもよい。この実施形態の場合、発光素子２３０の発光素子取付部２０１への電気的・機械的固定は導電性接着剤や半田等によって行っており、従って発光素子取付部２０１には取付部２１３以外の開口は設けられていない（もちろん設けても良い）。また押釦つまみ固定部１１７と押釦つまみ９０間は発光素子取付部２０１に設けた取付部２１３を介して一体に連結されている。このとき押釦つまみ固定部１１７は、中央の押圧部１３５と周囲の取付部２１３の下面側のリング状の部分との間を、放射状の連結部１１７ａによって連結して構成されている。即ちこの実施形態の場合、押釦つまみ９０と押釦つまみ固定部１１７と発光素子２３０と発光素子取付部２０１とをインサート成型により一体化しているので、これら各部材を一つずつ組み立てていく複雑な組み立て工程が不要になり、製造工程の簡素化が図れる。
【００６６】
〔第三実施形態（請求項５〜７に対応する実施形態）〕
図１１〜図１４は本発明の第三実施形態にかかる回転式電子部品付き多方向押圧型スイッチ（以下簡略化のため「多方向押圧型スイッチ」という）１−３を示す図であり、図１１，図１２は多方向押圧型スイッチ１−３の内の回転式電子部品を除いた中央部分（多方向押圧型スイッチ本体部５００のみの部分）の分解斜視図、図１３は多方向押圧型スイッチ１−３全体の分解斜視図、図１４は多方向押圧型スイッチ１−３の概略断面図（但し図示の都合上、切断面は各部で異ならせている）である。なお図１２に示すフレキシブル基板５２０と発光素子取付部５３１とは連結部５３０によって連結されているが、図示の都合上、両者は連結部５３０の部分で分断して示している。
【００６７】
ここでまず図１１，図１２を用いて多方向押圧型スイッチ本体部５００の部分について説明すると、多方向押圧型スイッチ本体部５００は、静止側部材である取付板５１０上に、フレキシブル基板５２０と、操作部形成部５６１と押圧部形成部（発光素子載置部材でもある）５７１と、操作部形成部５６１と押圧部形成部５７１の間に設置される発光素子取付部５３１に取り付けた発光素子５９０と、スイッチ作動部材６２０と、静止側部材であるケース６４０と、静止側部材であるケース取付部材６６０と、覆い部６８０と、操作つまみ７１０とを具備して構成されている。なお操作部形成部５６１と押圧部形成部５７１と操作つまみ７１０とを合わせて、押釦兼揺動つまみ５６０とする。以下各構成部品について説明する。
【００６８】
取付板５１０は剛性を有する金属板であるが、合成樹脂によって構成しても良い。そしてその表面はフレキシブル基板５２０を載置する平面状の載置面５１１となっている。そしてその所定位置には複数（この実施形態では四つ）の貫通孔からなる取付部５１３が設けられている。これら取付部５１３の内の二つの取付部５１３の端部は円弧状に形成されることで位置決め部５１５が形成されている。
【００６９】
フレキシブル基板５２０は、一枚の可撓性を有する合成樹脂フイルム（例えばポリエチレンテレフタレートフイルム、ポリイミドフイルム等）に、中央スイッチ５２１Ａと、中央スイッチ５２１Ａの周囲の複数箇所（本実施形態では四ヶ所）に設置される外周スイッチ５２１Ｂと、取付板５１０の四つの取付部５１３の内の三つの取付部５１３に対向する位置に設置されそれぞれの取付部５１３と同一形状の固定部５３２と、もう一つの取付部５１３に対向する位置に形成される切欠き部５３４と、外周スイッチ５２１Ｂのさらに外側に形成される複数本（この実施形態では二本）の円弧状の摺接パターン６０５と、フレキシブル基板５２０の外周から外部の回路に引き出される引出部６０７と、切欠き部５３４の部分から帯状の連結部５３０を介して連結されている発光素子取付部５３１と、発光素子取付部５３１の連結部５３０とは１８０°反対側から帯状に突出する取付部５４１とを具備して構成されている。中央スイッチ５２１Ａ及び外周スイッチ５２１Ｂは、フレキシブル基板５２０の上面に形成した回路パターンの一部に設けたスイッチパターンの上に弾性金属板製の反転板５３７を取り付けて構成されている。摺接パターン６０５は印刷（スクリーン印刷等）等によって形成されており、例えば回転式可変抵抗器用のパターンとしたり、回転式コードスイッチ用のパターンとしたりしている。発光素子取付部５３１は略矩形状であり、左右二ヶ所に矩形状の貫通部５３２を設け、それらの間に設けた帯状の素子取付部５３３の中央に、弾性金属板からなる挟持部材５３５によって発光素子５９０を機械的に固定している。発光素子５９０の取付構造は、前記図７，図８に示す発光素子２３０の挟持部材２３５による固定構造と同一である。発光素子５９０には、フレキシブル基板５２０に形成している回路パターンから連結部５３０を介して発光素子取付部５３１上に引き出されて形成されている回路パターンに電気的に接続されている。なお発光素子５９０の発光素子取付部５３１への固定構造は上記構造に限定されず、他の種々の機械的固定構造や接着材や半田による固定構造等であっても良い。発光素子取付部５３１の外周から突出する取付部５４１は略帯状であってその先端近傍に矩形状の貫通孔からなる固定部５３６を設けている。
【００７０】
操作部形成部５６１と押圧部形成部５７１は、何れも合成樹脂の成形品である。操作部形成部５６１は、その上面を略半球面状に形成してなる基部上部５６３と、基部上部５６３の上面中央から真上に向けて突出する円筒状の操作部５６５とを具備している。基部上部５６３の下面中央には凹状の発光素子収納部５６７（図１４参照）が設けられ、またその下面の複数ヶ所（本実施形態では四ヶ所）からは柱状の固定部５６８（図１２では二本のみ示す）が突出している。操作部５６５の中央には略円形の上下に貫通する貫通孔である挿入取付部５６９が設けられている。一方押圧部形成部５７１は略平板状であり、前記固定部５６８に対応する位置にはこれら固定部５６８を挿入する貫通孔からなる挿入固定部５７３が設けられ、またその上面中央には前記挟持部材５３５の厚み分凹む凹部５７５が設けられ、またその下面の前記中央スイッチ５２１Ａの中央に対向する位置には柱状の押圧部５７７（図１４参照）が設けられている。そして以下で説明する組み立て工程で発光素子取付部５３１を挟持して一体化される操作部形成部５６１の基部上部５６３と押圧部形成部５７１とを合わせて基部５７９が構成される。
【００７１】
スイッチ作動部材６２０は合成樹脂を略円板状に成形して構成されており、その中央部分を上方向に略ドーム状に凸とすることでその上面を摺接面６２１とし、その下面側の空間を基部収納部６２２とし、また摺接面６２１の中央部分には前記操作部５６５を突出する開口部６２３が設けられ、またその外周の複数ヶ所（本実施形態では各外周スイッチ５２１Ｂに対向する４ヶ所）には下方向に向かって突出する押圧部６２５を設け、また各押圧部６２５の根元部分には半径方向外側に向かって突出する位置決め部６２７を設けている。
【００７２】
ケース６４０は合成樹脂の成形品であり、その形状は下面を開放した略円筒形状であり、その上面を覆う上板部６４１の中央に円形の開口６４３を設け、開口６４３の内周下端辺のリング状の部分を前記スイッチ作動部材６２０の摺接面６２１を当接する当接部６４５としている。またケース６４０の側壁面外周部分には、上下方向に向かう複数本（本実施形態では四本）のガイド溝６４７が設けられている。またケース６４０の側壁の下端部のガイド溝６４７を設けていない部分を凹部６４８とし、ガイド溝６４７を設けた部分（本実施形態では４ヶ所）の下端部をそれぞれ押圧部６４９としている。さらにケース６４０の側壁の下端部の前記取付板５１０の各位置決め部５１５（本実施形態では二ヶ所）に対向する位置にはこれに挿入する位置決め突起６５１が二本設けられている。また図示はしないが、ケース６４０の側壁の内周面部分には、上下方向に向かってスイッチ作動部材６２０の位置決め部６２７を上下動自在にガイドするガイド溝が設けられている。ケース取付部材６６０は金属板製であり、前記ケース６４０の上面形状と略同一形状の略リング状の覆い部６６１と、覆い部６６１の中央に設けられ前記ケース６４０の開口６４３と略同一形状寸法に形成された開口６６３と、覆い部６６１の外周から突出して下方向に向けて折り曲げられて前記ケース６４０の各ガイド溝６４７に挿入されるアーム部６６５とを具備して構成されている。覆い部６８０は合成樹脂の成形品であり、略ドーム形状であってその中央に係止用開口６８１を設けて構成されている。係止用開口６８１は下記する導光部材７０２を通す円形の開口の周囲に放射状に複数（本実施形態では四つ）の切り欠き６８３を設けて構成され、また各切り欠き６８３の間の部分には円形の貫通孔６８５を設けている。操作つまみ７１０は不透光性の操作つまみ本体部７０１と、操作つまみ本体部７０１の中央で操作つまみ本体部７０１を上下に貫く透光性の導光部材７０２とを具備して構成されている。この実施形態では操作つまみ７１０は操作つまみ本体部７０１と導光部材７０２とを二材成形手法にて一体に成形することで構成されているが、導光部材７０２を操作つまみ本体部７０１の内部に後から組み込むことで構成しても良い。操作つまみ本体部７０１の下面の導光部材７０２が突出している部分の周囲の前記各切り欠き６８３に対向する位置には各切り欠き６８３を挿入する板状の突出部７０７が突出して設けられ、またその下面の各貫通孔６８５に対向する位置には各貫通孔６８５に挿入される挿入突部７０９が突出して設けられている。
【００７３】
多方向押圧型スイッチ本体部５００の組立方法の一例を説明すると、まず予め操作つまみ７１０を覆い部６８０の上側からその係止用開口６８１に挿入することで、覆い部６８０の各切り欠き６８３に操作つまみ７１０の各突出部７０７を挿入し、同時に覆い部６８０の各貫通孔６８５に操作つまみ７１０の各挿入突部７０９を挿入して各挿入突部７０９の先端を熱カシメして操作つまみ７１０と覆い部７８０とを一体化しておく。一方発光素子５９０を取り付けた発光素子取付部５３１の上下を操作部形成部５６１と押圧部形成部５７１とによって挟み込み、その際操作部形成部５６１の各固定部５６８を発光素子取付部５３１の貫通部５３２を通して押圧部形成部５７１の各挿入固定部５７３に挿入し、その先端を押圧部形成部５７１の下面で熱カシメし、これによって発光素子取付部５３１を挟持した状態で操作部形成部５６１と押圧部形成部５７１とを一体化する。このとき発光素子５９０は発光素子収納部５６７内に位置する。そして操作部形成部５６１と押圧部形成部５７１とを一体化したものを連結部５３０の部分を折り曲げることによって連結部５３０を介して図１２に示すようにフレキシブル基板５２０上に配置した状態でフレキシブル基板５２０を取付板５１０上に設置し、さらに操作部形成部５６１の上にスイッチ作動部材６２０とケース６４０とケース取付部材６６０とを被せ、その際ケース取付部材６６０の各アーム部６６５をケース６４０の各ガイド溝６４７に挿入し、さらに各アーム部６６５の先端をフレキシブル基板５２０の各固定部５３２及び切欠き部５３４を介して取付板５１０の各取付部５１３に挿入し、それらの先端を図１４に示すように外方向（多方向押圧型スイッチ本体部５００から離れる方向）に向けて折り曲げて固定する。このとき、フレキシブル基板５２０の一つの固定部５３２の上には、取付部５４１の固定部５３６が重ねられているので、この固定部５３２と同時に固定部５３６にもアーム部６６５が挿入され、取付部５４１は他の固定部５３２の部分と同様に、ケース６４０の押圧部６４９によって取付板５１０に強固に押し付けられ、これによって取付部５４１及び連結部５３０のフレキシブル基板５２０の近傍部分（必ずしも連結部５３０の根元部分でなくても良く、その周囲部分であっても良い）は固定される。そして覆い部６８０と一体化した操作つまみ７１０の下面から突出する導光部材７０２を、挿入取付部５６９に挿入すれば、この多方向押圧型スイッチ本体部５００が完成する。
【００７４】
以上のように組み立てた多方向押圧型スイッチ本体部５００の外周に回転式電子部品８００を設置して多方向押圧型スイッチ１−３を組み立てるには、図１３に示すように、多方向押圧型スイッチ本体部５００の上側から多方向押圧型スイッチ本体部５００の外周を囲むように、回転式電子部品８００を構成する部品である回転つまみ７２０や回転型物７６０等を取り付けた固定部材（以下この実施形態では「外側ケース」という）７５０を設置する。外側ケース７５０の上面にはクリック板７４０が載置され、回転つまみ７２０の下面には板バネ７３０が取り付けられ、回転型物７６０の下面には摺動子７７０が取り付けられる。なお回転式電子部品８００は、回転つまみ７２０、板バネ７３０、クリック板７４０、外側ケース７５０、回転型物７６０、摺動子７７０、フレキシブル基板５２０に形成した摺接パターン６０５によって構成されている。
【００７５】
これら各構成部品について図１３及び図１４を用いて説明すると、まず回転つまみ７２０は合成樹脂を円板状に成形して構成されており、その中央には前記押釦兼揺動つまみ５６０を挿通する円形の開口７２１を設け、また回転つまみ７２０の下面の開口７２１の周囲から筒状の軸支部７２３を突出して設けて構成されている。軸支部７２３の下端辺の所定位置（１８０°対向する二ヵ所、図１３では一ヵ所のみ示す）からは小突起状の取付部７２５を突出して設けている。また回転つまみ７２０の軸支部７２３の外側下面の所定位置（二ヵ所、図１４では一ヶ所のみ示す）からも小突起状の固定部７２７が突出して設けられている。板バネ７３０は弾性金属板をリング状に形成して構成されており、前記固定部７２７に対向する二ヵ所にそれぞれ係止孔７３１を設けると共に、両係止孔７３１の間を連結するクリック用アーム部７３３のそれぞれ中央部分に下方向に突出するように湾曲するクリック弾接部７３５を設けている。クリック板７４０は金属板をリング状に形成して構成されており、その面に所定の個数の矩形状に貫通するクリック係合部７４１を設けると共に、１８０°対向する所定位置に小径の取付孔７４３を設けている。外側ケース７５０は合成樹脂を略円形の筒状に成形して構成されており、その上面にはクリック板７４０を載置するリング状の載置面７５１が設けられ、載置面７５１上の前記クリック板７４０の各取付孔７４３に対向する位置に小突起状の取付固定部７５３を設けている。また外側ケース７５０の中央の円形の開口は、前記回転つまみ７２０の軸支部７２３の外周を回動自在に軸支する軸支用開口部７５５となっている。また外側ケース７５０の内部の軸支用開口部７５５の下側の空間は、図１４に示すように、軸支用開口部７５５の内径よりもその内径を大きくした回転型物等収納部７５７となっている。回転型物７６０は成形樹脂をリング状に成形して構成されており、前記回転つまみ７２０の各取付部７２５に対向する位置（１８０°対向する二ヵ所）には各取付部７２５を挿入する挿入孔７６１が設けられ、またその下面側の所定位置には摺動子取付面７６３が設けられ、摺動子取付面７６３には小突起７６５が突設されている。摺動子７７０は弾性金属板製であり、略矩形状の基部７７１と、基部７７１の一辺から突出して下面側に折り曲げられる二本の摺動冊子７７３とを具備して構成されている。基部７７１には小孔からなる取付孔７７５が設けられている。
【００７６】
そして多方向押圧型スイッチ本体部５００の周囲に回転式電子部品８００を設置する組立方法の一例を説明すると、まず予め回転つまみ７２０の下面に板バネ７３０を配置して回転つまみ７２０の固定部７２７（図１４参照）を板バネ７３０の係止孔７３１を挿入してその先端を熱カシメして固定する。一方外側ケース７５０の載置面７５１上にクリック板７４０を載置してクリック板７４０の各取付孔７４３に外側ケース７５０の取付固定部７５３を挿入し、その先端を熱カシメして固定する。また回転型物７６０下面の摺動子取付面７６３に摺動子７７０の基部７７１を設置し、その際摺動子取付面７６３に設けた小突起７６５を摺動子７７０の取付孔７７５に挿入してその先端を熱カシメして固定する。
【００７７】
そして外側ケース７５０の上に回転つまみ７２０を設置し、このとき回転つまみ７２０の軸支部７２３を外側ケース７５０の軸支用開口部７５５に回動自在に挿入する。次に外側ケース７５０下面の回転型物等収納部７５７内に回転型物７６０を挿入し、その際回転つまみ７２０の各取付部７２５を回転型物７６０の挿入孔７６１に挿入してその先端を回転型物７６０の下面で熱カシメし、これによって回転つまみ７２０と回転型物７６０とを外側ケース７５０に対して回転自在に一体化する。そしてこの外側ケース７５０を前記多方向押圧型スイッチ本体部５００の上に被せ、回転つまみ７２０の軸支部７２３の内側に多方向押圧型スイッチ本体部５００を設置し、外側ケース７５０と取付板５１０間を図示しない位置で固定すれば、この多方向押圧型スイッチ１−３の組み立てが完了する。このとき回転型物７６０に取り付けた摺動子７７０の摺動冊子７７３がフレキシブル基板５２０に設けた摺接パターン６０５に弾接している。
【００７８】
即ちこの多方向押圧型スイッチ１−３は、図１４に示すように、上下動すると共に揺動する押釦兼揺動つまみ５６０と、押釦兼揺動つまみ５６０を上下動自在に貫通すると共に押釦兼揺動つまみ５６０を揺動することでこれと一体に揺動するスイッチ作動部材６２０と、押釦兼揺動つまみ５６０の上下動によって押圧される位置に設置される中央スイッチ５２１Ａと、中央スイッチ５２１Ａの周囲であってスイッチ作動部材６２０の揺動によって押圧される位置に設置される外周スイッチ５２１Ｂとを具備し、押釦兼揺動つまみ５６０に発光素子５９０を設置することで、発光素子５９０から発射される光によって押釦兼揺動つまみ５６０を照光するように構成されている。またこの多方向押圧型スイッチ１−３は、回転つまみ７２０を回動することで電気的出力を変化する回転式電子部品８００を、押釦兼揺動つまみ５９０の外周を囲む位置に設置して構成されている。またこの多方向押圧型スイッチ１−３は、回転つまみ７２０の中央に押釦兼揺動つまみ５６０を挿通する開口７２１を有すると共に回転つまみ７２０の下面の開口７２１の周囲から軸支部７２３を突出して設け、回転つまみ７２０の軸支部７２３の下部に、回転つまみ７２０と一体に回転して回転式電子部品８００の電気的出力を変化する回転型物７６０を取り付けると共に、回転つまみ７２０の軸支部７２３の外周を回動自在に軸支する外側ケース（固定部材）７５０を設置して構成されている。
【００７９】
以上のように構成された多方向押圧型スイッチ１−３において、回転つまみ７２０を回動すると、これと一体に回転型物７６０及び摺動子７７０が回動し、摺動子７７０の摺動冊子７７３がフレキシブル基板５２０の摺接パターン６０５上を摺動することでその電気的出力を変化する。一方押釦兼揺動つまみ５６０の操作つまみ７１０を真下に押圧すれば、スイッチ作動部材６２０は元の位置のままで押釦兼揺動つまみ５６０のみが下降してその押圧部５７７が反転板５３７を反転して中央スイッチ５２１Ａをオンする。操作つまみ７１０への押圧を解除すれば、反転板５３７が元の形状に自動復帰して中央スイッチ５２１Ａがオフすると同時に、押釦兼揺動つまみ５６０も元の位置に自動復帰する。一方操作つまみ７１０を揺動すると、押釦兼揺動つまみ５６０と一体にスイッチ作動部材６２０も揺動し（このときケース６４０の当接部６４５上をスイッチ作動型物６２０の摺接面６２１が摺動する）、下降した側のスイッチ作動部材６２０の押圧部６２５によってこれに対向している反転板５３７が反転されて外周スイッチ５２１Ｂがオンする。操作つまみ７１０の揺動を解除すれば、反転板５３７が元の形状に自動復帰して外周スイッチ５２１Ｂがオフすると同時に、押釦兼揺動つまみ５６０とスイッチ作動部材６２０も元の位置に自動復帰する。
【００８０】
そして発光素子５９０を発光すれば、押釦兼揺動つまみ５６０の中央の透明な導光部材７０２の部分がその下面側から表面側に向けて照光され、明るく照らし出される。導光部材７０２の表面及び／又は不透光性部材からなる操作つまみ本体部７０１の表面に、所望の装飾を塗料（不透光性のものも含む）の印刷等によって形成しておけば、押釦兼揺動つまみ５６０の表面の内の所望の部分のみを照らし出したり、効果的な装飾を行なったりすることができる。なお操作つまみ本体部７０１を透光性を有する材料で構成しても良い。つまりこの実施形態においても、多方向押圧型スイッチ１−３の押釦兼揺動つまみ５６０の照光が図れ、また多方向押圧型スイッチ１−３の外周部分のスペースをそのまま回転式電子部品８００として利用でき、容易に多方向押圧型スイッチ１−３に回転式電子部品の機能をも一体に併せ持たせることができる。
【００８１】
〔第四実施形態（請求項８，９に対応する実施形態）〕
図１５は、本発明の第四実施形態にかかる回転式電子部品付き多方向押圧型スイッチ（以下簡略化のため「多方向押圧型スイッチ」という）１−４の概略断面図（図２の断面と同一部分を切断している）である。この多方向押圧型スイッチ１−４は、第一実施形態にかかる多方向押圧型スイッチ１と多くの部分が同一形状・構造なので、同一部分又は相当部分には第一実施形態のものと同一符号を付する。なお以下で説明する事項以外の事項については、第一実施形態と同じである。同図に示す多方向押圧型スイッチ１−４において、前記多方向押圧型スイッチ１と相違する概要は、多方向押圧型スイッチ１の揺動つまみ５０と押釦つまみ９０とを一体にした一つの透明な成形品からなる押釦兼揺動つまみ５０−４とした点と、これによって押釦兼揺動つまみ５０−４全体が連結部材７０に保持されることで不要となったヒンジ１１５，１１５を省略した点と、ヒンジ１１５，１１５の省略によって独立した部材となった押釦つまみ固定部１１７の名称を押圧部形成部１１７−４とした点と、押釦兼揺動つまみ５０−４の非動作時に押釦兼揺動つまみ５０−４に設けた各押圧部５９の先端とこれに対向する反転板１９５との間に隙間を設けた点とである。
【００８２】
即ちこの多方向押圧型スイッチ１−４は、図１５に示すように、フレキシブル基板１９０及び取付板２４０上に固定部材１１０を固定し、固定部材１１０の軸支部１１６に回転型物１７０を回動自在に軸支し、また固定部材１１０の上部に取り付けた連結部材７０によって押釦兼揺動つまみ５０−４を揺動及び上下動自在に固定し、また押釦兼揺動つまみ５０−４の中央下面の収納部１０１の下側にその上面に発光素子２３０を取り付けた発光素子取付部２０１を載置した押圧部形成部（発光素子載置部材でもある）１１７−４を取り付ける構造に構成されている。またこの多方向押圧型スイッチ１−４は、上下動すると共に揺動する押釦兼揺動つまみ５０−４と、前記押釦兼揺動つまみ５０−４の上下動によって押圧される位置に設置される中央スイッチ１９３Ａと、前記中央スイッチ１９３Ａの周囲であって前記押釦兼揺動つまみ５０−４の揺動によって押圧される位置に設置される外周スイッチ１９３Ｂとを具備し、前記押釦兼揺動つまみ５０−４に発光素子２３０を設置することで、発光素子２３０から発射される光によって押釦兼揺動つまみ５０−４を照光する構造に構成されている。
【００８３】
以上のように構成された多方向押圧型スイッチ１−４において、回転つまみ１０を回転すると、これと一体に回転型物１７０に取り付けた摺動子１８５の摺接部１８７が摺接パターン１９４上を摺動してその電気的出力を変化する。一方押釦兼揺動つまみ５０−４の中央部分を真下方向に向けて押圧すると、連結部材７０が撓むことで押圧部形成部１１７−４が下降し、その押圧部１３５が中央スイッチ１９３Ａをオンする。前記押釦兼揺動つまみ５０−４への押圧を解除すると押釦兼揺動つまみ５０−４は元の位置に自動復帰し、中央スイッチ１９３Ａはオフする。一方押釦兼揺動つまみ５０−４の周囲の所定位置を押圧すると連結部材７０が撓むことで押圧した部分が下降（揺動）し、下降した側の押圧部５９がこれに対向する外周スイッチ１９３Ｂをオンする。押釦兼揺動つまみ５０−４ヘの押圧を解除すれば、押釦兼揺動つまみ５０−４は元の位置に自動復帰し、外周スイッチ１９３Ｂはオフする。
【００８４】
そして発光素子２３０を発光すれば、透明な押釦兼揺動つまみ５０−４の中央部分がその下面側から表面側に向けて照光され、明るく照らし出される。押釦兼揺動つまみ５０−４の表面に所望の装飾を塗料（不透光性のものも含む）の印刷等によって形成しておけば、押釦兼揺動つまみ５０−４の表面の内の所望の部分のみを照らし出したり、効果的な装飾を行なったりすることができる。つまりこの実施形態においても、多方向押圧型スイッチ１−４の押釦兼揺動つまみ５０−４の照光が図れ、また多方向押圧型スイッチ１−４の外周部分のスペースをそのまま回転式電子部品として利用でき、容易に多方向押圧型スイッチ１−４に回転式電子部品の機能をも一体に併せ持たせることができる。
【００８５】
この実施形態においても、第二実施形態（図１０の例）と同様に、押圧部形成部１１７−４と押釦兼揺動つまみ５０−４とを発光素子２３０と発光素子取付部２０１とを内蔵した状態で一体成形（インサート成形）してもよい。
【００８６】
以上本発明の実施形態を説明したが、本発明は上記各実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記第一実施形態では、揺動つまみ５０の外周を囲む位置に回転式電子部品を設置したが、押釦つまみ９０を照光するという目的のためには回転式電子部品は必ずしも必要なく、その目的だけの多方向押圧型スイッチであればこれを省略しても良い。この点は第二，第三，第四実施形態においても同様である。
【図面の簡単な説明】
【００８７】
【図１−１】本発明の第一実施形態にかかる多方向押圧型スイッチ１の分解斜視図（上側部分）である。
【図１−２】本発明の第一実施形態にかかる多方向押圧型スイッチ１の分解斜視図（下側部分）である。
【図２】多方向押圧型スイッチ１の概略断面図である。
【図３】揺動つまみ５０を下面側から見た斜視図である。
【図４】押釦つまみ９０を下面側から見た斜視図である。
【図５】固定部材１１０を下面側から見た斜視図である。
【図６】回転型物１７０を下面側から見た斜視図である。
【図７】図１−２に示す発光素子取付部２０１を反対側から見た分解斜視図である。
【図８】図１−２に示す発光素子取付部２０１を裏面側から見た斜視図である。
【図９】従来の多方向押圧型スイッチ３００を示す概略断面図である。
【図１０】第二実施形態にかかる多方向押圧型スイッチ１−２の概略断面図である。
【図１１】第三実施形態にかかる多方向押圧型スイッチ１−３に用いる多方向押圧型スイッチ本体部５００の分解斜視図（上側部分）である。
【図１２】多方向押圧型スイッチ本体部５００の分解斜視図（下側部分）である。
【図１３】多方向押圧型スイッチ１−３の分解斜視図である。
【図１４】多方向押圧型スイッチ１−３の概略断面図である。
【図１５】第四実施形態にかかる多方向押圧型スイッチ１−４の概略断面図である。
【符号の説明】
【００８８】
１  回転式電子部品付き多方向押圧型スイッチ（多方向押圧型スイッチ）
１０  回転つまみ
１３  開口部
３０  ロックつまみ
５０  揺動つまみ
７０  連結部材
９０  押釦つまみ
１１０  固定部材
１１１  基部
１１３  開口部
１１５  ヒンジ
１１６  軸支部
１１７  押釦つまみ固定部
１３５  押圧部
１４０  クリック板
１５０  板バネ
１５１  クリック用アーム部
１５３  ロックつまみ押上用アーム部
１６１  クリック係合部
１６３  押し上げ部
１７０  回転型物
１７１  軸支孔
１８５  摺動子
１９０  フレキシブル基板
１９３  スイッチ
１９４  摺接パターン
１９５  反転板
２０１  発光素子取付部
２０３  連結部
２３０  発光素子
２４０  取付板
１−２  回転式電子部品付き多方向押圧型スイッチ（多方向押圧型スイッチ）
１−３  回転式電子部品付き多方向押圧型スイッチ（多方向押圧型スイッチ）
５００  多方向押圧型スイッチ本体部
５１０  取付板
５２０  フレキシブル基板
５２１Ａ  中央スイッチ
５２１Ｂ  外周スイッチ
５６０  押釦兼揺動つまみ
５６１  操作部形成部（押釦兼揺動つまみ）
５７１  押圧部形成部（押釦兼揺動つまみ）
５９０  発光素子
６０５  摺接パターン
６２０  スイッチ作動部材
６４０  ケース
６６０  ケース取付部材
６８０  覆い部
７１０  操作つまみ（押釦兼揺動つまみ）
７２０  回転つまみ
７５０  外側ケース（固定部材）
７６０  回転型物
７７０  摺動子
８００  回転式電子部品
１−４  回転式電子部品付き多方向押圧型スイッチ（多方向押圧型スイッチ）
５０−４  押釦兼揺動つまみ
１１７−４  押圧部形成部
【図１−１】
2005347234.tif 000003
【図１−２】
2005347234.tif 000004
【図２】
2005347234.tif 000005
【図３】
2005347234.tif 000006
【図４】
2005347234.tif 000007
【図５】
2005347234.tif 000008
【図６】
2005347234.tif 000009
【図７】
2005347234.tif 000010
【図８】
2005347234.tif 000011
【図９】
2005347234.tif 000012
【図１０】
2005347234.tif 000013
【図１１】
2005347234.tif 000014
【図１２】
2005347234.tif 000015
【図１３】
2005347234.tif 000016
【図１４】
2005347234.tif 000017
【図１５】
2005347234.tif 000018